(57)【要約】【課題】ゴルフクラブなどの用具のスイング中のある区間内でのスイング速度のみならず、該区間内で用具の一部が加速状態にあるか減速状態にあるかなどの情報をも得ることが可能となるスイング速度測定装置およびスイング速度測定方法を提供する。【解決手段】スイング速度測定装置１は、用具のスイング速度を測定可能な複数の測定部を形成する発光部２ａ〜２ｃおよび受光部３ａ〜３ｃと、該発光部２ａ〜２ｃおよび受光部３ａ〜３ｃと接続され用具が複数の測定部を通過する際の速度を算出可能な演算部４と、演算部４と接続され該演算部４から出力された情報を表示可能な表示部５とを備える。【選択図】        図１
2004271196.tif 000002
【特許請求の範囲】
【請求項１】
測定開始点と測定終了点との間の測定区間をスイング時に用具が通過する際の速度の平均値であるスイング速度を測定するスイング速度測定装置において、前記スイング速度を測定可能な複数の測定区間を備えたことを特徴とするスイング速度測定装置。
【請求項２】
前記用具における被測定箇所の移動方向に沿って前記複数の測定区間を並べた、請求項１に記載のスイング速度測定装置。
【請求項３】
最初の測定開始点と最後の測定終了点間の距離が５０ｍｍ以上１５０ｍｍ以下であることを特徴とする、請求項１または請求項２に記載のスイング速度測定装置。
【請求項４】
隣り合う測定区間が１０ｍｍ以上１００ｍｍ以下離れていることを特徴とする、請求項１から請求項３のいずれかに記載のスイング速度測定装置。
【請求項５】
隣り合う測定区間の測定終了点と測定開始点とを一致させたことを特徴とする、請求項１から請求項４のいずれかに記載のスイング速度測定装置。
【請求項６】
前記複数の測定区間における前記用具のスイング速度、加速状態および減速状態に関する情報を表示可能な表示部を備えた、請求項１から請求項５のいずれかに記載のスイング速度測定装置。
【請求項７】
前記用具は打球具を含み、
前記用具によって打撃されるボールの設置位置の、前記用具のスイング方向における両側に、それぞれ単数または複数の前記測定区間を配置した、請求項１から請求項６のいずれかに記載のスイング速度測定装置。
【請求項８】
前記用具は打球具を含み、
前記用具によって打撃されるボールの設置位置に対し、前記用具のスイング方向における一方側に、前記複数の測定区間を配置した、請求項１から請求項６のいずれかに記載のスイング速度測定装置。
【請求項９】
用具のスイング速度を測定可能な第１測定部と、
前記第１測定部と隣り合う位置に設けられ、前記用具のスイング速度を測定可能な第２測定部と、
前記第１および第２測定部と接続され、前記用具が前記第１と第２測定部を通過する際の平均速度を算出可能な演算処理部と、
前記演算処理部と接続され、前記演算処理部から出力された情報を表示可能な表示部と、
を備えた、スイング速度測定装置。
【請求項１０】
用具をスイングした際に、複数の箇所で順に前記用具のスイング速度を測定することを特徴とする、スイング速度測定方法。
【請求項１１】
前記用具は打球具を含み、
前記用具によるボールの打撃前に、前記複数の箇所で前記スイング速度の測定を行う、請求項１０に記載のスイング速度測定方法。
【請求項１２】
前記用具は打球具を含み、
前記用具によるボールの打撃前と打撃後に、前記スイング速度の測定を行う、請求項１０に記載のスイング速度測定方法。
【請求項１３】
前記用具は打球具を含み、
前記用具によるボールの打撃後に、前記複数の箇所で前記スイング速度の測定を行う、請求項１０に記載のスイング速度測定方法。
【発明の詳細な説明】
【０００１】
【発明の属する技術分野】
本発明は、たとえば野球用バットやゴルフクラブなどの用具をスイングした時のスイング速度を測定するスイング速度測定装置およびスイング速度測定方法に関する。
【０００２】
【従来の技術】
従来のスイング速度測定装置は、光電ピックアップや磁気センサーなどにより、測定開始点と測定終了点の２点の通過タイミングを検出して電気信号を出し、その電気信号の時間差から２点間の通過速度を計算するものであった。したがって、２点間の平均速度を情報として得ているにすぎない。
【０００３】
たとえば、特開昭５８−５４９７４号公報には、基台と、この基台に設けられスイング時のゴルフクラブの通過状態の検知信号を発する少なくとも３個のセンサと、これらのセンサからの検知信号を処理する手段と、この手段で処理されたデータを表示する表示手段とを備え、上記センサをゴルフクラブのスイング軌道の中心線で区分した一方側にその軌道方向へ所定間隔をあけて第１と第２のセンサを配置し、他方側に第３のセンサを配置したゴルフ練習器が開示されている。
【０００４】
上記の特開昭５８−５４９７４号公報に記載のゴルフ練習器では、第１と第２のセンサを用いてスイング速度を算出し、第１と第３のセンサを用いてフェース面ズレ角度を算出している。したがって、スイング速度としては、第１と第２のセンサ間の平均速度が得られるだけである。
【０００５】
また、特開２０００−１９１８６号公報には、主にゴルフボールの回転運動測定方法が記載されているが、ゴルフクラブヘッドのヘッドスピードを測定する第１と第２のセンサも開示されている。この場合も、スイング速度としては、第１と第２のセンサ間の平均速度が得られるだけである。
【０００６】
【特許文献１】
特開昭５８−５４９７４号公報
【０００７】
【特許文献２】
特開２０００−１９１８６号公報
【０００８】
【発明が解決しようとする課題】
たとえば野球やゴルフなどにおける実際のスイングでは、スイング中にゴルフクラブやバットの加速運動や減速運動が行われており、特に各種ボールと衝突する直前で加速状態にあるか減速状態にあるかは重要となる。
【０００９】
例えばゴルフについてインパクト直前のヘッドスピードを詳細に測定したところ、インパクト直前のヘッドが加速中である場合と、減速中である場合と、加速から減速に遷移する近傍である場合とで、飛距離を最大にするクラブのスペックが異なることが判明した。
【００１０】
すなわち、インパクト時にロフト通りの角度でボールをヒットするのは、ヘッドが加速状態から減速状態に遷移する場合のみであり、加速中にはヘッドが遅れてインパクトにはいるため、ロフトは立ち気味（フェースが下側に向いた状態）になり、ボールの飛び出し角度は低くなる。減速中はヘッドがシャフトより先行してインパクトにはいるため、ロフトが寝気味（フェースが上側に向いた状態）になり、ボールの飛び出し角度は高くなる。
【００１１】
従来であれば、ヘッドスピードが速ければボールが上がりすぎないようにロフト角の小さいヘッドを選択し、ヘッドスピードが遅ければボールが上がりやすいようにロフト角の大きいヘッドを選択するのが望ましいとされてきた。
【００１２】
しかしながら、ヘッドスピードが速く、かつヘッドスピードの加速中にインパクトを迎えるゴルファーがロフト角の小さいヘッドを使用すると、インパクト時のロフトが小さくなりすぎてバックスピンがほとんどかからない、いわゆるドロップボールとなり弾道が安定しなくなることがある。
【００１３】
これとは逆に、ヘッドスピードが遅く、減速中にインパクトを迎えるゴルファーがロフト角の大きいヘッドを使用すると、必要以上に飛び出し角度が高くなり却って飛距離の低下を招く場合もある。
【００１４】
したがって、ゴルフクラブのスイング中であればゴルフクラブヘッドがインパクト前後で加速運動しているのか減速運動しているのかを検知することが望まれる。
【００１５】
しかし、従来のスイング速度測定装置では、単に隣り合った２点間の通過タイミングを検出するのみであるため、上述のように２点間を通過する際の平均速度しか情報として得られず、スイング中に加速状態にあるか減速状態にあるかなどの情報を得ることができない。そのため、より正確な用具の選択や技術の改善指導を行うのに有益な情報が不足するという問題がある。
【００１６】
なお、ハイスピードビデオによる撮影で画像処理を行えば、スイングスピードの詳細な情報は得られるが、装置が高価であること、画像処理に時間がかかること、画像の解像度によっては測定誤差が大きくなるなどの様々な問題がある。
【００１７】
本発明は、上記問題点に着目してなされたもので、用具のスイング中のある区間内でのスイング速度のみならず、該区間内で用具の一部が加速状態にあるか減速状態にあるかなどの情報をも得ることが可能となるスイング速度測定装置およびスイング速度測定方法を提供することにある。
【００１８】
【課題を解決するための手段】
本発明に係るスイング速度測定装置は、１つの局面では、測定開始点と測定終了点との間の測定区間をスイング時に用具が通過する際の速度の平均値であるスイング速度を測定する装置であって、該スイング速度を測定可能な複数の測定区間を備えたことを特徴とする。ここで、用具とは、本願明細書では典型的にはスポーツ用具を意図しているが、スポーツ用具以外の用具であって所定の速度で振り動かされる用具も含まれるものと解釈されるべきである。
【００１９】
上記のようにスイング速度を測定可能な複数の測定区間を備えることにより、各測定区間における用具の平均スイング速度を測定できるばかりでなく、トータルの測定区間内で用具の一部（被測定箇所）が加速状態にあるか減速状態にあるかなどの情報をも得ることができる。
【００２０】
上記用具における被測定箇所の移動方向に沿って上記複数の測定区間を並べることが好ましい。
【００２１】
また、最初の測定開始点と最後の測定終了点間の距離が５０ｍｍ以上１５０ｍｍ以下であることが好ましい。最初の測定開始点と最後の測定終了点間の距離を５０ｍｍ未満とすると、各々の測定区間毎の距離が小さくなり、測定精度が下がることとなり、最初の測定開始点と最後の測定終了点間の距離が１５０ｍｍよりも大きいと、ダウンスイングにおける加速区間が含まれてしまい、たとえば測定しようとするインパクト前のヘッドスピードの変化量だけを測定することができなくなるからである。
【００２２】
また、隣り合う測定区間が１０ｍｍ以上１００ｍｍ以下離れていることが好ましい。隣り合う測定区間の距離が１０ｍｍ未満であると、各々の測定区間間の距離が小さくなるため測定精度が下がることとなり、隣り合う測定区間の距離が１００ｍｍよりも大きいと、たとえば第一測定区間がインパクト点から離れすぎるため、ダウンスイングにおける加速区間が含まれてしまい、測定しようとするインパクト前のヘッドスピードの変化量だけを測定することができなくなる。
【００２３】
隣り合う測定区間の測定終了点と測定開始点とを一致させることが好ましい。つまり、隣り合う測定区間で測定終了点と測定開始点とを共有させることが好ましい。
【００２４】
また、上記複数の測定区間における用具の平均速度、加速状態および減速状態に関する情報を表示可能な表示部を備えることが好ましい。
【００２５】
上記用具は打球具を含む。この場合、該用具によって打撃されるボールの設置位置の、用具のスイング方向における両側に、それぞれ単数または複数の測定区間を配置してもよく、ボールの設置位置に対し上記用具のスイング方向における一方側に複数の測定区間を配置してもよい。
【００２６】
本発明に係るスイング速度測定装置は、他の局面では、用具のスイング速度を測定可能な第１測定部と、第１測定部と隣り合う位置に設けられ用具のスイング速度を測定可能な第２測定部と、第１および第２測定部と接続され用具が第１と第２測定部を通過する際の平均速度を算出可能な演算処理部と、演算処理部と接続され該演算処理部から出力された情報を表示可能な表示部とを備える。
【００２７】
このように第１および第２測定部と、該第１および第２測定部と接続される演算処理部とを備えることにより、各測定部および演算処理部によって複数箇所での用具の平均スイング速度を測定できるばかりでなく、該平均スイング速度からトータルの測定区間内で用具の被測定箇所が加速状態にあるか減速状態にあるかなどの情報をも得ることができる。
【００２８】
本発明に係るスイング速度測定方法は、用具をスイングした際に、複数の箇所で順に用具のスイング速度を測定することを特徴とする。
【００２９】
このように１つのスイング中に複数の箇所で順に用具のスイング速度を測定することにより、各測定箇所での用具の平均スイング速度を測定できるばかりでなく、トータルの測定区間内において用具の被測定箇所が加速状態にあるか減速状態にあるかなどの情報をも得ることができる。
【００３０】
上記用具は打球具を含む。この場合、該用具によるボールの打撃前に複数の箇所でスイング速度の測定を行ってもよく、用具によるボールの打撃前と打撃後にそれぞれスイング速度の測定を行ってもよく、用具によるボールの打撃後に複数の箇所でスイング速度の測定を行ってもよい。
【００３１】
【発明の実施の形態】
以下、本発明の実施の形態におけるスイング速度測定装置およびスイング速度測定方法について説明する。本実施の形態におけるスイング速度測定装置およびスイング速度測定方法は、野球用バットやゴルフクラブなどのスポーツ用具に特に有用であるが、該スポーツ用具以外の用具にも適用可能である。
【００３２】
本実施の形態におけるスイング速度測定装置は、測定（計測）開始点と測定終了点との間の測定区間の用具の通過速度を測定する装置であって、平均スイング速度（以下、単に「スイング速度」と称する）を測定可能な複数の測定区間を備える。
【００３３】
より詳しくは、本実施の形態におけるスイング速度測定装置は、用具のスイング速度を測定可能な第１測定部と、第１測定部と隣り合う位置に設けられ用具のスイング速度を測定可能な第２測定部と、第１および第２測定部と接続され用具が第１と第２測定部を通過する際の平均速度を算出可能な演算処理部と、演算処理部と接続され該演算処理部から出力された情報を表示可能な表示部とを備える。
【００３４】
このように複数の測定部および演算処理部を備えることにより、複数箇所で用具のスイング速度を測定することができる。また、該測定結果から、トータルの測定区間内で用具の被測定箇所が加速状態にあるか減速状態にあるかなどの情報をも得ることができる。したがって、スイング中の被測定箇所の加速状態や減速状態をも考慮して適切な用具の選択や技術の改善指導を行うことができるようになる。
【００３５】
また、表示部を備えることにより、各測定部によって測定された用具のスイング速度のみならず、加速状態にあるか減速状態にあるかなどに関する情報をも表示することができる。
【００３６】
測定部は、用具における被測定箇所が測定区間を通過したか否かを検知できるものであればよく、測定部としては、たとえば磁気センサや、発光部と受光部とを含む光学式センサなどを使用可能である。
【００３７】
複数の測定部は、上記用具における被測定箇所の移動方向に沿って並べることが好ましい。つまり、上記用具における被測定箇所の移動方向に沿って複数の測定区間を並べることが好ましい。磁気センサの場合であれば、対向する位置に配置した１対の磁気センサを２組以上並べることで複数の測定区間を設けることができ、光学式センサの場合には、発光部と受光部を３組以上並べることで複数の測定区間を設けることができる。
【００３８】
このように用具における被測定箇所の移動方向に沿って複数の測定区間を並べることにより、１回のスイングで複数箇所におけるスイング速度を連続的に測定することができる。
【００３９】
用具のスイング中に最初に被測定箇所が測定区間に入るポイントである最初の測定開始点と、スイング中に最後の測定区間から被測定箇所が出るポイントである最後の測定終了点間の距離は５０ｍｍ以上１５０ｍｍ以下であることが好ましい。より好ましくは、最初の測定開始点と最後の測定終了点間の距離は、５０ｍｍ以上１００ｍｍ以下である。最初の測定開始点と最後の測定終了点間の距離を上記の範囲とすることにより、たとえばダウンスイング中の加速の影響を受けにくくなり、インパクト前の速度変化を正確に測定することができる。
【００４０】
測定区間同士は分離されていてもよいが、複数の測定区間を連結して連続的に配置してもよい。測定区間が分離して配置された場合、隣り合う測定区間が１０ｍｍ以上１００ｍｍ以下離れていることが好ましい。より好ましくは、隣り合う測定区間を１０ｍｍ以上３０ｍｍ以下離し、さらに好ましくは、１０ｍｍ以上２０ｍｍ以下離す。それにより、ヘッドスピードを測定する区間毎の精度が上がり、ヘッドスピードの速度変化の仕方がより正確に測定できる。
【００４１】
また、隣り合う測定区間の測定終了点と測定開始点とを一致させてもよい。つまり、隣り合う測定区間で測定終了点と測定開始点とを共有させてもよい。この場合には、測定部をコンパクト化できることに加えて、スイング速度およびその変化を連続的に測定することができる。
【００４２】
ゴルフクラブなどの打球具（打撃具）のスイング速度を測定する場合には、第１と第２測定部の双方を、ボールなどの打撃対象に対し、スイング方向（スイング時にヘッドが移動する方向）における手前側に配置してもよい。つまり、スイング中であって打撃前のヘッドが位置する側に複数の測定部を配置してもよい。また、第１と第２測定部が打撃対象を間に挟んでスイング方向に並ぶように第１と第２測定部を打撃対象の両側にそれぞれ単数または複数配置してもよい。さらに、打撃後に打球具が移動する側に第１と第２測定部の双方を配置してもよい。
【００４３】
第１と第２測定部の双方をスイング方向における打撃対象の手前側に配置した場合には、打撃前に複数の区間でスイング速度を測定することができ、第１と第２測定部間に打撃対象を挟むように第１と第２測定部を配置した場合には、打撃前と打撃後のスイング速度を測定することができ、打撃後に打球具が移動する側に第１と第２測定部を配置した場合には、該打撃後のスイング速度を測定することができる。
【００４４】
演算処理部は、制御部と、中央処理装置（ＣＰＵ）と、記憶部とを備える。制御部は、第１および第２測定部の動作制御を行なう。中央処理装置は、被測定箇所が測定区間を通過する時間を検知する通過時間検知部と、スイング速度を算出する速度演算部を有する。記憶部には、スイング速度やスイング速度の加速、減速状態などの情報を算出するために必要なソフト、様々な画面を表示させるソフトをはじめとする様々なツールが格納されいる。
【００４５】
上記の記憶部に格納されたソフトなどを用いて中央処理装置によって演算を行い、たとえば第１および第２測定部からの出力信号に基づいて用具が第１と第２測定部を通過する際のスイング速度をそれぞれ算出する。各測定部を通過する際のスイング速度を算出するには、第１および第２測定部における測定区間の距離を用具の通過時間で除する。
【００４６】
また、中央処理装置は、速度比較部を有するものであってもよい。この場合には、該速度比較部によって、各測定区間におけるスイング速度を比較して速度変化量を算出することができる。それにより、トータルの測定区間内で用具の被測定箇所が加速状態であったか減速状態であったかを自動的に検知することができる。また、該速度変化量に基づいてトータルの測定区間内での被測定箇所の加速度を算出することも可能である。
【００４７】
表示部は、主に演算処理部によって演算された結果を表示する。該表示部は画面を有しており、この画面に、複数の測定区間における用具のスイング速度、加速状態、減速状態に関する種々の情報を表示する。また、測定結果を多段階に分類した場合には、この結果を多段階表示することもできる。該表示部による表示方法としては、様々な数字、文字、記号、色などを用いて図形、表、グラフに表して表示する手法が考えられる。
【００４８】
次に、本実施の形態におけるスイング速度測定方法について説明する。
まず、複数の測定部の各測定区間を被測定箇所が通過するようにゴルフクラブなどの用具をスイングする。このとき、各測定部によって被測定箇所の通過が検知され、被測定箇所の通過時間が計測される。この通過時間で測定区間の距離を除することにより、各測定区間における用具のスイング速度を算出することができる。この算出された各測定区間のスイング速度を基にしてスイング中の被測定箇所の加速状態、減速状態などの種々の情報を得ることができる。
【００４９】
【実施例】
次に、本発明の実施例について、図１〜図５を用いて説明する。なお、以下の実施例では、ゴルフクラブのインパクト直前のヘッドの速度であるスイング速度の測定に使用可能なスイング速度測定装置およびスイング速度測定方法について説明する。
【００５０】
図１に示すように、スイング速度測定装置１は、発光部２ａ〜２ｃと、受光部３ａ〜３ｃと、演算処理部４と、表示部５とを備える。発光部２ａ〜２ｃは、レーザ光を発光し、該レーザ光を受光部３ａ〜３ｃで受光する。この発光部２ａ〜２ｃと受光部３ａ〜３ｃとで第１と第２測定部が構成される。つまり、本例では３つの光電スイッチを並べて配置することで、第１と第２測定部として機能させている。各光電スイッチ間である発光部２ａ〜２ｃと受光部３ａ〜３ｃとの間をヘッドが通過した際に、レーザ光が一時的に受光部３ａ〜３ｃへ到達するのが遮られ、それによりヘッドが通過したことが検知される。
【００５１】
図１の例では、ボール６がティー上に載置されているが、ボール６の設置位置、すなわちインパクト位置よりも手前側に測定部となる発光部２ａ〜２ｃと受光部３ａ〜３ｃとを配置している。つまり、スイング方向における前方側にボール６を配置し、スイング方向における後方側に発光部２ａ〜２ｃと受光部３ａ〜３ｃとを配置している。
【００５２】
演算処理部４は、発光部２ａ〜２ｃと受光部３ａ〜３ｃとに接続されており、中央処理装置と記憶部とを備える。記憶部には、スイング速度やスイング速度の加速、減速状態などの情報を算出するために必要なソフトが格納されており、該ソフトを用いてスイング速度や加速、減速状態についての演算を行う。
【００５３】
表示部５は、演算処理部４と接続され、表示画面を有しており、演算処理部４から出力されたスイング速度やスイング速度の加速、減速状態などの種々の情報を表示画面に様々な態様で表示できるようになっている。
【００５４】
表１に、図１に示すスイング速度測定装置と、従来のスイング速度測定装置で測定されたスイング速度の表示例を示す。
【００５５】
【表１】
2004271196.tif 000003
【００５６】
従来のスイング速度測定装置は、単一の測定区間しか有しておらず、たとえば図１のタイプのスイング速度測定装置では、測定区間Ａ−ＢでＡ点とＢ点の通過タイミングを検出し、その時間差とＡ−Ｂ間の距離からスイング速度を計算することとなる。そのため、計算される速度は、ヘッドがＡ−Ｂ間を通過する際の平均速度すなわち図１における「速度１」であり、該「速度１」しか情報として提供されない。
【００５７】
具体的には、従来のスイング速度測定装置で測定すると、表１および図２に示すように、検出される速度は測定区間Ａ−Ｂ（測定区間１）の平均速度（速度１）すなわち４０ｍ／ｓだけであるので、ヘッドが測定区間Ａ−Ｂを加速しながら通過しているのか減速しながら通過しているかを検知することはできない。
【００５８】
それに対し、本実施例のスイング速度測定装置では、図１に示すように、測定区間Ａ−Ｂの中間のＣ点にもヘッド通過タイミング検出装置（発光部２ｃおよび受光部３ｃ）があるので、複数の測定区間、具体的には測定区間Ａ−Ｃおよび測定区間Ｃ−Ｂが存在する。そのため、各測定区間Ａ−Ｃおよび測定区間Ｃ−Ｂにおいてヘッド通過時間差がそれぞれ検出され、各測定区間でのスイング速度を測定することができる。また、該スイング速度を基にして測定区間Ａ−Ｂでヘッドが加速状態にあるか減速状態にあるかという情報をも得ることができる。さらに、従来例と同様に測定区間Ａ−Ｂにおけるスイング速度も検出可能である。
【００５９】
具体的には、表１および図２に示すように、本実施例のスイング速度測定装置では、測定区間Ａ−Ｂ（測定区間１）の中間に位置するＣ点の通過タイミングを検出することができるので、測定区間Ａ−Ｃ（測定区間２）での平均速度３８ｍ／ｓ（速度２）と、測定区間Ｃ−Ｂ（測定区間３）での平均速度４２ｍ／ｓ（速度３）とを検出できるばかりでなく、これらの平均速度を比較することでヘッドが測定区間Ａ−Ｂを加速しながら、Ａ点を３６ｍ／ｓ（速度Ａ）、Ｂ点を４４ｍ／ｓ（速度Ｂ）の速度で通過したことをも検出することができる。
【００６０】
なお、測定区間Ａ−Ｂの距離は、たとえば１５０ｍｍ程度であり、測定区間Ａ−Ｃの距離は、７５ｍｍ程度であり、測定区間Ｃ−Ｂの距離は、７５ｍｍ程度である。
【００６１】
上記のように、従来のスイング速度測定装置では測定区間Ａ−Ｂの平均速度が４０ｍ／ｓという情報しか得られないが、本実施例のスイング速度測定装置ではインパクト直前におけるヘッドが加速状態にあるか否かという、今まで得られなかった有益な情報が得られる。
【００６２】
表２、図３は異なるスイング、すなわちスイング１とスイング２を、従来のスイング速度測定装置と、本実施例のスイング速度測定装置とで測定した場合のスイング速度の表示例を示す。
【００６３】
【表２】
2004271196.tif 000004
【００６４】
従来のスイング速度測定装置では、どちらのスイングもヘッドスピードが４０ｍ／ｓという情報しか得られず、どちらも同じスイングであるという判定になる。しかし、本実施例のスイング速度測定装置では、スイング１は「前半の測定区間Ａ−Ｃでの平均速度が３８ｍ／ｓ、後半の測定区間Ｃ−Ｂでの平均速度が４２ｍ／ｓ」、スイング２では「前半の測定区間Ａ−Ｃでの平均速度が４２ｍ／ｓ、後半の測定区間Ｃ−Ｂでの平均速度が３８ｍ／ｓ」という情報が得られるので、スイング１とスイング２は全く違ったスイングであるという判定になる。
【００６５】
したがって、従来のスイング速度測定装置で得られた情報では、スイング１，２とも、同じクラブが最適という不適切な判定となり、たとえば最適なクラブのシャフトフレックスは同じものという判断がなされる。また、スイング技術の差異も判定できないことになる。
【００６６】
それに対し、本実施例のスイング速度測定装置で得られる情報では、スイング１とスイング２は全く異なるスイングであるという判断がなされ、両者に最適なクラブを各々選択することができる。具体的には、スイング１は加速しており、インパクト直前の速度は、減速状態にあるスイング２よりも速いので、スイング１に最適なシャフトフレックスはスイング２よりも硬いものが適しているという判断が可能となる。また、スイング技術が異なることをも明確に示すことができる。
【００６７】
上記のスイング１は一般にプロゴルファーや上級者のスイングであり、スイング２は初級者のスイングであると言える。ゴルフの上達のためには、飛距離を増大させることも必要であるが、飛距離増大の観点からはインパクト直前のヘッドは加速状態にあることが好ましい。よって、測定区間内でスイング速度が加速状態にあるか減速状態にあるかに関する情報は、スイング技術向上のみならず、練習指導のためにも有益である。
【００６８】
次に、図２および図３に示すように測定区間Ａ−Ｃ（測定区間２）と測定区間Ｃ−Ｂ（測定区間３）とを連続的に配置してＣ点を共有させた場合と、図４に示すように測定区間Ａ−Ｃと測定区間Ｃ−Ｂとを分離して測定区間４と測定区間５との間に間隔を設けた場合とで検出結果を比較する。
【００６９】
表３および図４に、測定区間Ａ−Ｂでの速度変化が少ないスイング（以下「スイング３」という）を上記の２種類のスイング速度測定装置で測定した場合のスイング速度の表示例を示す。
【００７０】
【表３】
2004271196.tif 000005
【００７１】
スイング３のように測定区間Ａ−Ｂでの速度変化が少ないスイングでは、測定区間Ａ−Ｃと測定区間Ｃ−Ｂとで速度の差が小さく、測定される数値が接近し、測定公差などによる誤差を受けやすくなる。
【００７２】
そこで、測定区間Ａ−Ｂ間に、分離した測定区間４と測定区間５を設ける。図４の例では、測定区間Ａ−Ｂの両端に測定区間４と測定区間５を設け、測定区間４と測定区間５間の間隔をたとえば１０ｍｍ程度とする。
【００７３】
このように測定区間４と測定区間５を分離することで、表３に示すように、測定区間４と測定区間５とで計測されるスイング速度の差（測定区間を分離して配置した場合：１．５ｍ／ｓ）を、測定区間２と測定区間３とで計測されるスイング速度の差（測定区間を連続的に配置した場合：１．０ｍ／ｓ）よりも大きくすることができる。したがって、測定区間Ａ−Ｂでの速度変化が少ないスイングについてスイング速度を測定した場合の測定誤差の影響を受け難くすることができ、より正確なスイング速度変化を検知および表示することが可能となる。
【００７４】
次に、ヘッドの加速あるいは減速状態を簡易に判別可能な手法について、表４および図５を用いて説明する。
【００７５】
測定区間Ａ−Ｂでの速度を前半と後半に分けると、ゴルファー自身が従来から観念的に得ている個人のスイング速度すなわち測定区間Ａ−Ｂでの平均速度そのものを表示しないようにすることもできる。この場合、前半と後半のスイング速度をさらに平均することで測定区間Ａ−Ｂでの平均スイング速度を得ることが可能である。
【００７６】
しかし、前半と後半のスイング速度を平均するという行為が必要となり、また前半と後半の平均スイング速度から瞬時に暗算で測定区間Ａ−Ｂでの平均スイング速度を算出することが困難な場合も考えられる。このような問題を解決するために、測定区間Ａ−Ｂでの平均スイング速度と、測定区間Ａ−Ｂの後半の平均スイング速度とを測定して表示する。そして、測定区間Ａ−Ｂでの平均スイング速度と、測定区間Ａ−Ｂの後半の平均スイング速度とを比較し、測定区間Ａ−Ｂでの平均スイング速度が測定区間Ａ−Ｂの後半の平均スイング速度よりも大きい場合にはヘッドが減速状態にあり、測定区間Ａ−Ｂでの平均スイング速度が測定区間Ａ−Ｂの後半の平均スイング速度よりも小さい場合にはヘッドが加速状態にあるという情報が容易に得られる。
【００７７】
具体的には、下記の表４および図５に示すように、従来からゴルファー自身が観念的に得ているスイング速度である測定区間Ａ−Ｂでの平均スイング速度が４０ｍ／ｓの速度で、測定区間Ａ−Ｂにおける後半の測定区間６での平均スイング速度（速度６）が４２ｍ／ｓである場合には、ヘッドが加速状態にあるという情報が容易に得られる。
【００７８】
【表４】
2004271196.tif 000006
【００７９】
次に、複数の測定区間における平均スイング速度のみならず加速、減速の程度を複数の段階で表示する手段を備えたスイング速度測定装置について、表５および表６を用いて説明する。
【００８０】
【表５】
2004271196.tif 000007
【００８１】
表５に示すように、測定区間Ａ−Ｂの平均速度に対する測定区間Ａ−Ｂの後半の測定区間Ｃ−Ｂの速度差を、その数値の大きさで、たとえば−３から＋３まであるいはａからｇまでのように７段階に分類し、数値、記号、色などを変えて表示する。
【００８２】
このように多段階に表示することで、自己のスイングタイプが表５におけるスイングタイプＡ〜Ｇの中のどのスイングタイプに属するかが一目で分かり、最適なゴルフクラブを容易に選択することができる。なお、表５に示すようなデータを表示するには、演算処理部における記憶部に、予めスイング速度の差とスイングタイプとに関するデータを入力しておき、このような表示が可能となるようなソフトを格納していればよい。
【００８３】
また、ゴルフクラブヘッドのロフト角度、シャフトのフレックス（ゴルフクラブの振動数）、シャフトの調子などの最適仕様と、スイングタイプとに関するデータを記憶部に予め入力しておき、下記の表６に示すような表示が可能となるようなソフトを記憶部に格納するこで、ゴルフクラブの最適仕様を決定する上で、有意な情報を解りやすく簡便に表示することも可能となる。
【００８４】
ここで、シャフトの調子とは、打球の上がりやすさを左右する要素であり、通常は先調子、中調子、手元調子の三種類に分類される。シャフトの曲げ剛性は、グリップ側からヘッド側に向い小さく、すなわち曲がり易くなる。よって、シャフトのヘッド側の曲げ剛性／グリップ側の曲げ剛性の値は１を越えることはない。この値が小さいシャフトが先調子、値が大きいシャフトが手元調子であり、先調子ほど打球が上がりやすい。したがって、ヘッドスピードの遅いものは先調子、速いものは手元調子というように、単純にヘッドスピードによる分類がなされていた。しかし、打球直前の速度変化の大きい者は、ヘッドスピードに関係なく手元調子のシャフトを使用する方が打球が安定するし、フレックスが固い（振動数が大きい）ものを使用しても同様の効果を得ることができる。
【００８５】
【表６】
2004271196.tif 000008
【００８６】
以上のように本発明の実施の形態および実施例について説明を行なったが、上述の各実施例の特徴的構成を適宜組合せることも可能である。また、今回開示した実施の形態および実施例は全ての点で例示であって制限的なものではないと考えられるべきである。本発明の範囲は特許請求の範囲によって示され、特許請求の範囲と均等の意味および範囲内での全ての変更が含まれる。
【００８７】
【発明の効果】
本発明によれば、スイング中における用具の被測定箇所の測定区間内での速度のみならず加速状態や減速状態に関する情報をも得ることができるので、適切な用具の選択や技術の改善指導を行うことができる。また、ハイスピードビデオのような高価な装置を使うことなく、瞬時にスイング速度に関する種々の情報が得られる。
【図面の簡単な説明】
【図１】本発明の実施例におけるスイング速度測定装置の模式図である。
【図２】本発明の実施例におけるスイング速度測定装置による測定結果の一例を示す図である。
【図３】本発明の実施例におけるスイング速度測定装置による測定結果の他の例を示す図である。
【図４】本発明の実施例におけるスイング速度測定装置による測定結果のさらに他の例を示す図である。
【図５】本発明の実施例におけるスイング速度測定装置による測定結果のさらに他の例を示す図である。
【符号の説明】
１  スイング速度測定装置、２ａ〜２ｃ  発光部、３ａ〜３ｃ  受光部、４  演算処理部、５  表示部、６  ボール。
【図１】
2004271196.tif 000009
【図２】
2004271196.tif 000010
【図３】
2004271196.tif 000011
【図４】
2004271196.tif 000012
【図５】
2004271196.tif 000013